(57)【要約】【課題】表示されるバッテリユニットの残量の信頼性を向上することができる電子機器を提供する。【解決手段】複数の動作モードで動作することができる電子機器１１０と、電子機器に装着されて電力を供給する二次電池１０７を内蔵したバッテリユニット１０５とを有する電子機器システム１００において、電子機器は、実消費電力値Ｐａと、予想消費電力値Ｐｂと０以上の閾値Ｓとの和とを比較して前者が後者よりも大きい場合には実消費電力値Ｐａを選択し、前者が後者以下であれば予想消費電力値Ｐｂを選択する選択部１２５と、選択部１２５の選択結果に基づいて算出された二次電池１０７の残り時間Ｔを表示する表示部１３０とを有する。【選択図】図３
2011035966.tif 000002
【特許請求の範囲】
【請求項１】
複数の動作モードで動作することができる電子機器と、当該電子機器に装着されて電力を供給する電池を内蔵したバッテリユニットとを有する電子機器システムであって、
前記電子機器は、
前記電池の電圧値、放電電流値及び残り電力値を含む情報に基づいて、前記電子機器の現在の実際の消費電力値を取得する実消費電力情報取得手段と、
前記電子機器の現在の動作モードに対応する予想された消費電力値を取得する予想消費電力情報取得手段と、
前記実際の消費電力値と、前記予想された消費電力値と０以上の閾値との和とを比較して前記実際の消費電力値が前記予想された消費電力値と閾値との和よりも大きい場合には前記実際の消費電力値を選択し、前記実際の消費電力値が前記予想された消費電力値と閾値との和以下であれば前記予想された消費電力値を選択する選択手段と、
前記残り電力値を前記選択手段が選択した前記実際の消費電力値及び前記予想された消費電力値の一方で割ることによって前記電子機器が使用可能である残り時間を演算する演算手段と、
前記演算手段が演算した残り時間を表示する表示手段と
を有することを特徴とする電子機器システム。
【請求項２】
前記電子機器は、前記バッテリユニットから前記情報を受信する受信手段を更に有し、
前記実消費電力情報取得手段は、前記受信手段が検出した前記情報を取得することを特徴とする請求項１に記載の電子機器システム。
【請求項３】
前記実消費電力情報取得手段は、前記受信手段が受信した情報に含まれる前記電池の前記電圧値と前記放電電流値の積を演算することによって前記実際の消費電力値を取得することを特徴とする請求項２に記載の電子機器システム。
【請求項４】
前記電子機器は、前記バッテリユニットの前記電池の電圧値及び供給される電流値を検出する電源部を更に有し、
前記実消費電力情報取得手段は、前記電源部が検出した結果を取得することを特徴とする請求項３に記載の電子機器システム。
【請求項５】
前記電子機器は、前記電子機器の複数の動作モードと、各動作モードにおいて消費される電力値との関係を示す表を格納するメモリを更に有し、
前記予想消費電力情報取得手段は、前記表において、前記電子機器の現在の動作モードに対応する一又は複数の電力値を加算することによって前記予想された消費電力値を取得することを特徴とする請求項１に記載の電子機器システム。
【請求項６】
前記選択手段は、前記予想された消費電力値から前記実際の消費電力値に切り替える場合の前記閾値と、前記実際の消費電力値から前記予想された消費電力値に切り替える場合の前記閾値とを異なる値にすることを特徴とする請求項１に記載の電子機器システム。
【請求項７】
前記選択手段は、前記閾値を前記電子機器の動作モードに応じて変化させることを特徴とする請求項１に記載の電子機器システム。
【請求項８】
前記選択手段は、前記実際の消費電力値が前記予想された消費電力値と閾値との和よりも大きい回数が閾値回数以下の場合には前記予想された消費電力値を選択し、前記回数が閾値回数よりも大きい場合には前記実際の消費電力値を選択することを特徴とする請求項１に記載の電子機器システム。
【請求項９】
複数の動作モードで動作することができる電子機器と、当該電子機器に装着されて電力を供給する電池を内蔵したバッテリユニットとを有する電子機器システムであって、
前記電子機器は、
前記バッテリユニットの放電電流値を前記電子機器の現在の実際の消費電流値として取得する実消費電力情報取得手段と、
前記電子機器の現在の動作モードに対応する予想された消費電流値を取得する予想消費電力情報取得手段と、
前記実際の消費電流値と、前記予想された消費電流値と０以上の閾値との和とを比較して前記実際の消費電流値が前記予想された消費電流値と閾値との和よりも大きい場合には前記実際の消費電流値を選択し、前記実際の消費電流値が前記予想された消費電流値と閾値との和以下であれば前記予想された消費電流値を選択する選択手段と、
前記電池の残り電力値を前記選択手段が選択した前記実際の消費電流値及び前記予想された消費電流値の一方で割ることによって前記電子機器が使用可能である残り時間を演算する演算手段と、
前記演算手段が演算した残り時間を表示する表示手段と
を有することを特徴とする電子機器システム。
【発明の詳細な説明】
【技術分野】
【０００１】
本発明は、電子機器システムに関する。
【背景技術】
【０００２】
二次電池を有するバッテリユニット（バッテリパックともいう）は、電子機器の電源として広く使用されている。最近では、バッテリユニットと通信してバッテリユニットの残量を表示する電子機器も知られている。特許文献１には、バッテリパックの残量を演算して表示する機器が記載されている。
【先行技術文献】
【特許文献】
【０００３】
【特許文献１】特開２００３−２４０８３０号公報
【発明の概要】
【発明が解決しようとする課題】
【０００４】
しかし、特許文献１の電子機器システムは、実消費電力が予想消費電力より高い場合に、表示された使用可能時間よりも早く電池電力が消費されて使用者が想定している時間よりも早く電源が切れてしまうという問題がある。
【０００５】
そこで、本発明は、表示されるバッテリユニットの残量の信頼性を向上することができる電子機器システムを提供することを例示的な目的とする。
【課題を解決するための手段】
【０００６】
本発明に係る電子機器システムの一つは、複数の動作モードで動作することができる電子機器と、当該電子機器に装着されて電力を供給する電池を内蔵したバッテリユニットとを有する電子機器システムであって、前記電子機器は、前記電池の電圧値、放電電流値及び残り電力値を含む情報に基づいて、前記電子機器の現在の実際の消費電力値を取得する実消費電力情報取得手段と、前記電子機器の現在の動作モードに対応する予想された消費電力値を取得する予想消費電力情報取得手段と、前記実際の消費電力値と、前記予想された消費電力値と０以上の閾値との和とを比較して前記実際の消費電力値が前記予想された消費電力値と閾値との和よりも大きい場合には前記実際の消費電力値を選択し、前記実際の消費電力値が前記予想された消費電力値と閾値との和以下であれば前記予想された消費電力値を選択する選択手段と、前記残り電力値を前記選択手段が選択した前記実際の消費電力値及び前記予想された消費電力値の一方で割ることによって前記電子機器が使用可能である残り時間を演算する演算手段と、前記演算手段が演算した残り時間を表示する表示手段と、を有することを特徴とする。
【０００７】
本発明に係る電子機器システムの一つは、複数の動作モードで動作することができる電子機器と、当該電子機器に装着されて電力を供給する電池を内蔵したバッテリユニットとを有する電子機器システムであって、前記電子機器は、前記バッテリユニットの前記放電電流値を前記電子機器の現在の実際の消費電流値として取得する実消費電力情報取得手段と、前記電子機器の現在の動作モードに対応する予想された消費電流値を取得する予想消費電力情報取得手段と、前記実際の消費電流値と、前記予想された消費電流値と０以上の閾値との和とを比較して前記実際の消費電流値が前記予想された消費電流値と閾値との和よりも大きい場合には前記実際の消費電流値を選択し、前記実際の消費電流値が前記予想された消費電流値と閾値との和以下であれば前記予想された消費電流値を選択する選択手段と、前記残り電力値を前記選択手段が選択した前記実際の消費電力値及び前記予想された消費電力値の一方で割ることによって前記電子機器が使用可能である残り時間を演算する演算手段と、前記演算手段が演算した残り時間を表示する表示手段とを有することを特徴とする。
【発明の効果】
【０００８】
本発明によれば、表示されるバッテリユニットの残量の信頼性を向上することができる電子機器システムを提供することができる。
【図面の簡単な説明】
【０００９】
【図１】実施形態１〜５に係る電子機器システムの構成を示すブロック図である。
【図２】図１に示す制御部１２０の構成を示すブロック図である。
【図３】実施形態１に係る制御部１２０の動作を説明するためのフローチャートである。
【図４】実施形態３に係る制御部１２０の動作を説明するためのフローチャートである。
【図５】実施形態４に係る制御部１２０の動作を説明するためのフローチャートである。
【図６】実施形態５に係る制御部１２０の動作を説明するためのフローチャートである。
【発明を実施するための形態】
【００１０】
以下、添付図面を参照して、本発明の実施形態について説明する。
【００１１】
［実施形態１］
図１は、実施形態１〜５に係る電子機器システム１００の構成を示すブロック図である。電子機器システム１００は、記録再生装置などの電子機器１１０と、電子機器１１０に形成された不図示の電池室に着脱可能に収納されるバッテリユニット１０５とを有する。実施形態１の電子機器１１０はデジタルカメラとして具体化されている。バッテリユニット１０５は、電子機器１１０に装着されて電力を供給する二次電池１０７を内蔵している。
【００１２】
電子機器１１０は、バッテリユニット１０５と不図示のプラス端子及び不図示のマイナス端子で接続されており、バッテリユニット１０５から電力の供給を受けている。また、電子機器１１０は、複数の動作モードで動作することができる。電子機器１１０は、制御部１２０と、表示部１３０と、電源部１４０とを有する。表示部１３０は、表示パネルを有する。
【００１３】
図２は、電子機器１１０の制御部１２０の構成を示すブロック図である。図２に示すように、制御部１２０は、受信部１２１、実消費電力情報取得部１２２、予想消費電力情報取得部１２３、メモリ１２４、選択部１２５、演算部１２６、表示制御部１２７を含む複数のモジュールを有する。これらのモジュールの機能は後述する。
【００１４】
バッテリユニット１０５は制御部１０６と二次電池１０７を内蔵している。制御部１０６は電池電圧Ｖ［Ｖ］、電池放充電電流Ｉ［Ａ］及び残り電力量Ｂ［Ｗｈ］などを検出することができる。バッテリユニット１０５の制御部１０６は電子機器１１０の制御部１２０と通信端子１１２で接続されており、双方向通信により互いの情報を送受信することができる。電子機器１１０の制御部１２０は、電池電圧Ｖ［Ｖ］、電池放充電電流Ｉ［Ａ］、及び残り電力量Ｂ［Ｗｈ］に基づいて、バッテリユニット１０５の残量時間を演算し、表示部１３０に表示する。表示部１３０は、図１に示すように、残量時間（分）と満充電時の残量に対する現在の残量の割合を表示している。
【００１５】
図３は、制御部１２０の一回分の処理を説明するためのフローチャートである。なお、図３において、「Ｓ」はステップの略である。制御部１２０は、この処理を定期的に実行し、表示を更新する。例えば、１秒間間隔で実行したり、電子機器１１０の動作状態に応じて、この間隔を変化させたりする。また、電子機器１１０の動作状態が変化した場合は、制御部１２０は図３の処理を直ちに実行して表示を速やかに更新する。
【００１６】
図３において、まず、受信部１２１は、バッテリユニット１０５と通信して二次電池１０７の情報を受信する（Ｓ１０）。通信方法は、シリアル通信、パラレル通信、無線通信など限定されない。二次電池１０７の情報は、例えば、二次電池１０７の電圧Ｖ［Ｖ］、二次電池１０７の放電電流Ｉ［Ａ］及び電池残り電力量Ｂ［Ｗｈ］を含む。
【００１７】
次に、実消費電力情報取得部１２２は、受信部１２１が取得した電池電圧及び電池放電電流の情報に基づいて現在の実際の消費電力値である実消費電力値Ｐａ[Ｗ]を演算により取得する（Ｓ１１）。実消費電力情報取得部１２２は、リアルタイムで演算を行ってリアルタイムで実消費電力値Ｐａ[Ｗ]を取得する。実施形態１では、実消費電力情報取得部１２２は、式（１）に示すように、実消費電力値Ｐａ［Ｗ］を二次電池１０７の電圧値Ｖ［Ｖ］と二次電池の放電電流値Ｉ［Ａ］の積を演算する。
【００１８】
実消費電力値Ｐａ［Ｗ］＝電圧値Ｖ［Ｖ］×放電電流値Ｉ［Ａ］  ・・・（１）
なお、本発明は受信部１２１が取得した情報に基づいて実消費電力情報取得部１２２が実消費電力値Ｐａを取得する実施形態に限定されない。例えば、電子機器１１０の電源部１４０がプラス端子１１５とマイナス端子１１６間での電圧値及び供給される電流値を検出可能であり、電源部が検出した結果を実消費電力情報取得部１２２が取得して演算してもよい。但し、この場合でも、受信部１２１は二次電池１０７の残り電力値の情報を制御部１０６から取得する。
【００１９】
次に、予想消費電力情報取得部１２３は、メモリ１２４に予め格納されている電力表１２４ａから電子機器１１０の現在の動作モードに対応する予想された消費電力値である予想消費電力Ｐｂを取得する。電力表１２４ａは、電子機器の動作モードと消費される電力値との関係を示す表である。表１は、電子機器１１０が記録媒体に映像を記録すると共に映像を再生する記録再生装置（デジタルカメラ）である場合の電力表１２４ａの一例である。
【００２０】
【表１】
2011035966.tif 000003
【００２１】
表１は、電子機器１１０の複数の（Ｎ個の）動作モードｉと、各動作モードにおいて消費される電力値Ｐｉ（ｉ＝１〜Ｎ）との関係を示している。表１では、記録モード時に消費される電力値Ｐ１は３０００ｍＷ、再生モード時に消費される電力値Ｐ２は１８００ｍＷ、表示部１３０の明るさを高輝度に設定した時に消費される電力値Ｐ３は３００ｍＷである。また、外部モニターへのビデオ信号出力を行っている時に消費される電力値Ｐ４は５０ｍＷ、外部のプリンター接続時に消費される電力値Ｐ５は１００ｍＷである。表１のモードｉとしては、その他、省電モード（例えば、表示パネル明るさ低）などが考えられる。また、モードｉは、「プリンター接続中」のように外部機器との接続状態を含む。
【００２２】
予想消費電力情報取得部１２３は、表１の各モードｉ（ｉ＝１〜Ｎ）に対してＳ１２〜Ｓ１５までの処理を繰り返すことによって予想消費電力値Ｐｂを演算により取得できる。即ち、予想消費電力情報取得部１２３は、ループを開始し（Ｓ１２）、電力表１２４ａから読み出したモードｉに現在のモードが一致するかどうかを判断する（Ｓ１３）。予想消費電力情報取得部１２３は、電力表１２４ａから読み出したモードｉに現在のモードが一致すると判断した場合には（Ｓ１３のＹＥＳ）、対応する消費電力値Ｐｉを予想消費電力値Ｐｂに加えて（Ｓ１４）、次のループを繰り返す（Ｓ１５）。例えば、記録モード、表示パネルの明るさを高輝度、ビデオ信号出力オンの場合は、これらのモードの消費電力値Ｐｉは消費されるが、再生モードとプリンター接続中の消費電力値Ｐｉは消費されない。このため、予想消費電力値Ｐｂ［Ｗ］はＰ１（３０００ｍＷ）、Ｐ３（３００ｍＷ）、Ｐ４（５０ｍＷ）の和となり、３．３５Ｗと演算することができる。このように、予想消費電力情報取得部１２３は、電力表１２４ａにおいて、電子機器１１０の現在の動作モードに対応する一又は複数の電力値を加算することによって予想消費電力値Ｐｂを取得する。
【００２３】
一方、予想消費電力情報取得部１２３は、電力表１２４ａから読み出したモードｉに現在のモードが一致しないと判断した場合には（Ｓ１３のＮＯ）、何もせずに次のループを繰り返す（Ｓ１５）。
【００２４】
次に、選択部１２５は、式（２）に示すように、実際の消費電力値である実消費電力値Ｐａと、予想された消費電力値である予想消費電力値Ｐｂと０以上の閾値Ｓとの和を比較し、実消費電力値Ｐａと予想消費電力値Ｐｂの一方を選択する（Ｓ１６）。より具体的には、選択部１２５は、実消費電力値Ｐａが予想消費電力値Ｐｂと閾値Ｓとの和よりも大きい場合には（Ｓ１６のＹＥＳ）、実消費電力値Ｐａを選択する。また、選択部１２５は、実消費電力値Ｐａが予想消費電力値Ｐｂと閾値Ｓとの和以下であれば（Ｓ１６のＮＯ）予想消費電力値Ｐｂを選択する。なお、選択部１２５には、閾値Ｓ［Ｗ］が予め設定されている。
【００２５】
実消費電力値Ｐａ［Ｗ］＞予想消費電力値Ｐｂ［Ｗ］＋閾値Ｓ［Ｗ］  ・・・（２）
このように、実施形態１の選択部１２５は、実消費電力値Ｐａが予想消費電力値Ｐｂと閾値Ｓとの和よりも大きい場合には実消費電力値Ｐａを選択するので、特許文献１のように想定時間よりも早く電源が切れてしまうという問題を解決することができる。この結果、実施形態１の電子機器システム１００は、表示されるバッテリユニット１０５の二次電池１０７の残量の信頼性を向上することができる。
【００２６】
閾値Ｓは０でもよいが、実施形態１では０よりも大きな値である。一般に、予想消費電力値Ｐｂは頻繁に変動しないが、実消費電力値Ｐａは頻繁に変動するために一定の変動幅を有する。実施形態１は閾値Ｓをその変動幅よりも大きく設定している。これは、例えば、閾値Ｓを０にして実消費電力値Ｐａが予想消費電力値Ｐｂの上下に変動すると表示部１３０に表示される二次電池１０７の残量表示が実消費電力値Ｐａと共に頻繁に変動することになり、ユーザーにとって見づらくなるからである。実施形態１のように閾値Ｓを設定することによって、表示部１３０の表示が頻繁に変更することを防止することができる。
【００２７】
演算部１２６は、受信部１２１が受信した残り電力値Ｂを選択部１２５が選択した実消費電力値Ｐａ及び予想消費電力値Ｐｂの一方で割ることによって電子機器１１０が使用可能である残り時間Ｔを演算する。
【００２８】
即ち、演算部１２６は、実消費電力値Ｐａを使用する場合には、残り時間Ｔ［ｈ］を式（３）のように演算する（Ｓ１７）。
【００２９】
残り時間Ｔ［ｈ］＝残り電力量Ｂ［Ｗｈ］÷実消費電力値Ｐａ［Ｗ］  ・・・（３）
また、演算部１２６は、予想消費電力値Ｐｂを使用する場合には、残り時間Ｔ［ｈ］を式（４）のように演算する（Ｓ１８）。
【００３０】
残り時間Ｔ［ｈ］＝残り電力量Ｂ［Ｗｈ］÷予想消費電力値Ｐｂ［Ｗ］  ・・・（４）
表示制御部１２７は、演算部１２６が演算した残り時間Ｔ［ｈ］を表示部１３０に表示する（Ｓ１９）。この際、残り時間Ｔ［ｈ］を分単位に変換して表示する。なお、動作モードが切り替わって消費電力が減少し、表示される残り時間Ｔ［ｈ］が増加する場合には、前回の残り時間に閾値を加えた値より大きい場合にのみ表示を更新し、それ以外の場合には表示を更新せずに前回の残り時間を表示してもよい。一般に、ユーザーにとっては残り時間がなくなることが関心事であるためである。
【００３１】
［実施形態２］
バッテリユニット１０５の制御部１０６が二次電池１０７の残り電力量Ｂ’［Ａｈ］を検出することができる場合、Ｓ１０は、受信部１２１が残り電力量Ｂ’［Ａｈ］を取得する、と読み替えられる。この場合、実消費電力値Ｐａではなく実消費電流値Ｉａ［Ａ］及び予想消費電流値Ｉｂ［Ａ］を使用して残り時間Ｔ［ｈ］を演算することもできる。
【００３２】
また、Ｓ１１は、実消費電力情報取得部１２２が、受信した放電電流値Ｉ［Ａ］をそのまま実消費電流値Ｉａ［Ａ］とする、と読み替えられる。Ｓ１４は、予想消費電力情報取得部１２３が、実施形態１と同様に予想消費電力値Ｐｂ［Ｗ］を取得した後、式（５）の演算を行って予想消費電流値Ｉｂ［Ａ］を取得する、と読み替えられる。
【００３３】
予想消費電流値Ｉｂ［Ａ］＝予想消費電力値Ｐｂ［Ｗ］÷二次電池の電圧値Ｖ［Ｖ］  ・・・（５）
選択部１２５には閾値Ｓ’［Ａ］が予め設定されており、Ｓ１６は、式（６）が成立する場合には実消費電流値Ｉａを選択し、それ以外の場合には予想消費電流値Ｉｂを選択する、と読み替えられる。
【００３４】
実消費電流値Ｉａ［Ａ］＞予想消費電流値Ｉｂ［Ａ］＋閾値Ｓ’［Ａ］  ・・・（６）
Ｓ１７は、演算部１２６が、実消費電流値Ｉａを使用する場合には、残り時間Ｔ［ｈ］を式（７）のように演算する、と読み替えられる。
【００３５】
残り時間Ｔ［ｈ］＝電池残り電力量Ｂ’［Ａｈ］÷実消費電流値Ｉａ［Ａ］  ・・・（７）
また、Ｓ１８は、演算部１２６が、予想消費電流値Ｉｂを使用する場合には、残り時間Ｔ［ｈ］を式（８）のように演算する、と読み替えられる。
【００３６】
残り時間Ｔ［ｈ］＝電池残り電力量Ｂ’［Ａｈ］÷予想消費電流値Ｉｂ［Ａ］・・・（８）
［実施形態３］
図４は、実施形態３による選択部１２５及び演算部１２６の処理を説明するためのフローチャートである。選択部１２５において、使用する値を予想消費電力値Ｐｂから実消費電力値Ｐａに切り替える場合の閾値と、実消費電力値Ｐａから予想消費電力値Ｐｂに切り替える場合の閾値Ｓとを異なる値にすることにより、ヒステリシスを持たせることができる。実施形態３は、一旦、予想消費電力値Ｐｂから実消費電力値Ｐａに切り替わった後では再び予想消費電力値Ｐｂに容易に切り替わらないようにして表示部１３０における表示の変動を防止している。
【００３７】
まず、選択部１２５は、一回前の演算に使用したのが実消費電力値Ｐａであったかどうかを判断する（Ｓ２１）。選択部１２５は、予想消費電力値Ｐｂが使用されていたと判断した場合には（Ｓ２１のＮＯ）、式（９）が成立した場合に実消費電力値Ｐａを選択し、それ以外の場合には、継続して予想消費電力値Ｐｂを選択する（Ｓ２２）。なお、選択部１２５には、閾値Ｓ１［Ｗ］が予め設定されている。
【００３８】
実消費電力値Ｐａ［Ｗ］＞予想消費電力値Ｐｂ＋閾値Ｓ１［Ｗ］  ・・・（９）
演算部１２６は、実消費電力値Ｐａを使用する場合には、残り時間Ｔ［ｈ］を式（１０）のように演算する（Ｓ２３）。
【００３９】
残り時間Ｔ［ｈ］＝残り電力量Ｂ［Ｗｈ］÷実消費電力値Ｐａ［Ｗ］  ・・・（１０）
また、演算部１２６は、予想消費電力値Ｐｂを使用する場合には、残り時間Ｔ［ｈ］を式（１１）のように演算する（Ｓ２４）。
【００４０】
残り時間Ｔ［ｈ］＝残り電力量Ｂ［Ｗｈ］÷予想消費電力値Ｐｂ［Ｗ］  ・・・（１１）
一方、選択部１２５は、実消費電力値Ｐａが使用されていたと判断した場合には（Ｓ２１のＹＥＳ）、式（１２）が成立した場合に予想消費電力値Ｐｂを選択し、それ以外の場合には、継続して実消費電力値Ｐａを選択する（Ｓ２５）。なお、選択部１２５には、閾値Ｓ２［Ｗ］が予め設定されている。閾値Ｓ２は閾値Ｓ１と異なる値であり、実施形態３では閾値Ｓ１よりも小さい。
【００４１】
予想消費電力値Ｐｂ［Ｗ］＋閾値Ｓ２［Ｗ］＞実消費電力値Ｐａ［Ｗ］  ・・・（１２）
演算部１２６は、実消費電力値Ｐａを使用する場合にはＳ２３に移行し、予想消費電力値Ｐｂを使用する場合にはＳ２４に移行する。
【００４２】
［実施形態４］
図５は、実施形態４による選択部１２５及び演算部１２６の処理を説明するためのフローチャートである。選択部１２５は、閾値Ｓを電子機器１１０の動作状態に応じて閾値表から読み出して設定する。表２は、電子機器１１０が記録媒体に映像を記録すると共に映像を再生する記録再生装置である場合の閾値表の一例である。
【００４３】
【表２】
2011035966.tif 000004
【００４４】
表２は、電子機器１１０のＮ個の動作状態を示すモードｉと、その状態での閾値Ｓｉ（ｉ＝１〜Ｎ）から構成される。表２では、記録モード時の閾値Ｓ１は５０ｍＷ、再生モード時の閾値Ｓ２は２０ｍＷ、表示パネルの明るさを高輝度に設定した時の閾値Ｓ３は０ｍＷである。また、外部モニターへのビデオ信号出力を行っている時の閾値Ｓ４は０ｍＷ、及び外部のプリンターと接続中の時の閾値Ｓ５は０ｍＷである。
【００４５】
記録モードでは、レンズのズーム動作などで局所的な消費電力変動が多いため、閾値を高めに設定することにより、表示部１３０の表示が頻繁に変動することを防止することができる。閾値Ｓは、閾値表の各モードｉ（ｉ＝１〜Ｎ）に対してＳ３１〜Ｓ３８の処理を繰り返すことによって取得することができる。即ち、選択部１２５は、ループを開始し（Ｓ３１）、閾値表から読み出したモードｉに現在のモードが一致するかどうかを判断する（Ｓ３２）。選択部１２５は、閾値表から読み出したモードｉに現在のモードが一致すると判断した場合には（Ｓ３２のＹＥＳ）、対応する閾値Ｓｉを閾値Ｓに加えて（Ｓ３３）、次のループを繰り返す（Ｓ３４）。例えば、記録モード、表示パネルの明るさを高輝度、ビデオ信号出力オンの場合は、閾値Ｓ［Ｗ］＝Ｓ１＋Ｓ３＋Ｓ４＝５０＋０＋０＝５０と演算する。一方、選択部１２５は、閾値表から読み出したモードｉに現在のモードが一致しないと判断した場合には（Ｓ３２のＮＯ）、何もせずに次のループを繰り返す（Ｓ３４）。その後は、図３と同様に、Ｓ１６〜Ｓ１９が行われる。
【００４６】
［実施形態５］
図６は、実施形態５による選択部１２５及び演算部１２６の処理を説明するためのフローチャートである。選択部１２５は、条件が一定期間成立した後、実消費電力値Ｐａを使用する。
【００４７】
選択部１２５には、閾値Ｓ［Ｗ］が予め設定されている。まず、選択部１２５は、実消費電力値Ｐａ［Ｗ］＞予想消費電力値Ｐｂ［Ｗ］＋閾値Ｓ［Ｗ］が成立するかどうかを判断する（Ｓ４１）。選択部１２５は、成立すると判断すると（Ｓ４１のＹＥＳ）、カウンタ値に１を加えて新しいカウンタ値とする（Ｓ４２）。即ち、カウンタ値は実消費電力値Ｐａが予想消費電力値Ｐｂと閾値Ｓとの和よりも大きい回数を表す。カウンタ値が閾値Ｃ（閾値回数）よりも大きくなった場合には（Ｓ４４のＹＥＳ）、演算に実消費電力値Ｐａを使用する（Ｓ４５）。これは、実消費電力値Ｐａ［Ｗ］＞予想消費電力値Ｐｂ［Ｗ］＋閾値Ｓ［Ｗ］の条件が安定する前に切り替わると、表示部１３０の表示が頻繁に変動する虞があるからである。これにより、実施形態５はチャタリング防止と同様の効果を持たせることができる。
【００４８】
一方、選択部１２５は、実消費電力値Ｐａ［Ｗ］＞予想消費電力値Ｐｂ［Ｗ］＋閾値Ｓ［Ｗ］が成立しないと判断すると（Ｓ４１のＮＯ）、カウンタ値を０とする（Ｓ４３）。Ｓ４３の後で、又は、カウンタ値が閾値Ｃ以下（閾値回数以下）の場合には（Ｓ４４のＮＯ）、演算に予想消費電力値Ｐｂを使用する（Ｓ４６）。その後は、図３と同様に、Ｓ１９が行われる。
【符号の説明】
【００４９】
１００                電子機器システム
１０５                バッテリユニット
１０７                二次電池
１１０                電子機器
１２０                制御部
１２１                受信部
１２２                実消費電力情報取得部
１２３                予想消費電力情報取得部
１２４                メモリ
１２４ａ              電力表
１２５                選択部
１２６                演算部
１２７                表示制御部
１３０                表示部
【図１】
2011035966.tif 000005
【図２】
2011035966.tif 000006
【図３】
2011035966.tif 000007
【図４】
2011035966.tif 000008
【図５】
2011035966.tif 000009
【図６】
2011035966.tif 000010